(57)【要約】【課題】  本願発明は、外観を覆うシュリンクフィルムを外すことによって、外観形状を変化させることができる鏡餅状容器を提供する。【解決手段】  鏡餅状容器１は、鏡餅形状に成形された容器本体２と、容器本体２の上部に装着されるカバー部１５と、カバー部１５の上部に形成された装飾部１８と、上下方向にミシン目（切取部）２３が形成されたシュリンクフィルム２１，２２とからなる。カバー部１５を容器本体２の上部に当接させている。シュリンクフィルム２１，２２は、カバー部１５と容器本体２をシュリンクしている。【選択図】        図１
2014213907.tif 000002
【特許請求の範囲】
【請求項１】
合成樹脂素材によって鏡餅形状に成形され、餅、餅菓子等の保存食を収容する収容部を備えた容器本体と、
合成樹脂素材によって成形され、容器本体の上部に装着される装着部と、装着部の上部に形成された装飾部と、装着部に取り付けられた紐部材を有する装飾カバー体と、
上下方向に切取部が形成されたシュリンクフィルムとからなり、
前記装飾カバー体は、前記紐部材を容器本体の側面に下方向に垂らした状態で、装着部を容器本体の上部に当接させ、
前記シュリンクフィルムは、切取部を紐部材に沿わせるようにして、装飾カバー体の装着部と容器本体をシュリンクしていることを特徴とする鏡餅状容器。
【請求項２】
合成樹脂素材によって鏡餅形状に成形され、餅、餅菓子等の保存食を収容する収容部を備えた容器本体と、
合成樹脂素材によって成形され、容器本体の上部に装着される装着部と、装着部の上部に形成されたクリスマスツリー装飾部と、装着部に取り付けられた紐部材を有する装飾カバー体と、
クリスマスツリーの模様が形成され、上下方向に切取部が形成されたシュリンクフィルムとからなり、
前記装飾カバー体は、前記紐部材を容器本体の側面に下方向に垂らした状態で、装着部を容器本体の上部に当接させ、
前記シュリンクフィルムは、切取部を紐部材に沿わせるようにして、装飾カバー体の装着部と容器本体をシュリンクし、容器本体がクリスマスツリー形態になっていることを特徴とする鏡餅状容器。
【請求項３】
合成樹脂素材によって鏡餅形状に成形され、餅、餅菓子等の保存食を収容する収容部を備えた容器本体と、
当該容器本体の上部に着脱可能に設けられた橙形状の装飾体と、
合成樹脂素材によって成形され、容器本体の上部に装着され、容器本体の上部に設けられた前記装飾体を覆うカバー部と、カバー部の上部に形成されたクリスマスツリー装飾部と、カバー部に取り付けられた紐部材を有する装飾カバー体と、
クリスマスツリーの模様が形成され、上下方向に切取部が形成されたシュリンクフィルムとからなり、
前記装飾カバー体は、前記紐部材を容器本体の側面に下方向に垂らした状態で、カバー部を容器本体の上部に当接させ、
前記シュリンクフィルムは、切取部を紐部材に沿わせるようにして、装飾カバー体のカバー部と容器本体をシュリンクし、容器本体がクリスマスツリー形態になっていることを特徴とする鏡餅状容器。
【請求項４】
合成樹脂素材によって鏡餅形状に成形され、餅、餅菓子等の保存食を収容する収容部を備えた容器本体と、
当該容器本体の上部に着脱可能に設けられた橙形状の装飾体と、
合成樹脂素材によって成形され、容器本体の上部に装着され、容器本体の上部に設けられた前記装飾体を覆うカバー部と、カバー部の上部に形成されたクリスマスツリー装飾部とを有する装飾カバー体と、
クリスマスツリーの模様が形成され、上下方向に切取部が形成されたシュリンクフィルムとからなり、
前記装飾カバー体は、カバー部を容器本体の上部に当接させ、
前記シュリンクフィルムは、装飾カバー体のカバー部と容器本体をシュリンクし、容器本体がクリスマスツリー形態になっていることを特徴とする鏡餅状容器。
【請求項５】
合成樹脂素材によって鏡餅形状に成形され、餅、餅菓子等の保存食を収容する収容部を備えた容器本体と、
当該容器本体の上部に着脱可能に設けられた橙形状の装飾体と、
合成樹脂素材によって成形され、容器本体の上部に装着され、容器本体の上部に設けられた前記装飾体を覆うカバー部と、カバー部の上部に形成されたクリスマスツリー装飾部と、カバー部に取り付けられた紐部材を有する装飾カバー体と、
クリスマスツリーの模様が形成されたシュリンクフィルムとからなり、
前記装飾カバー体は、前記紐部材を容器本体の側面に下方向に垂らした状態で、カバー部を容器本体の上部に当接させ、
前記シュリンクフィルムは、装飾カバー体のカバー部と容器本体をシュリンクし、容器本体がクリスマスツリー形態になっていることを特徴とする鏡餅状容器。
【発明の詳細な説明】
【技術分野】
【０００１】
本発明は、鏡餅の形状に成形され、内部に餅を収容した鏡餅状容器に関し、詳しくは鏡餅と異なる模様のフィルムでシュリンクされ、鏡餅と異なる形態に変化している鏡餅状容器に関する。
【背景技術】
【０００２】
従来の鏡餅状容器は、合成樹脂素材によって鏡餅形状に成形され、餅を収容する収容部を備えた容器本体と、容器本体の上部に着脱可能に設けられた装飾体と、容器本体の上部に設けられた装飾体を覆うカバー部材と、カバー部材と容器本体をシュリンクするシュリンクフィルムとからなる（例えば、特許文献１）。この従来の鏡餅状容器は、年末においてシュリンクフィルムを貼り付けた状態で飾っておき、正月にシュリンクフィルムを剥がして、正月のお供えものとして利用される。
【先行技術文献】
【特許文献】
【０００３】
【特許文献１】特開２００９−１９０７７２号公報
【発明の概要】
【発明が解決しようとする課題】
【０００４】
従来の鏡餅状容器は、餅の保存性が良いので、長期間飾ることができるものの、外観が正月用のお供えのための形状であり、主に１２月２８日から１月１１迄ぐらいまでの短期間しか飾ることがない。そこで、従来の鏡餅状容器は、外観を覆うシュリンクフィルムに鏡餅とは異なる模様を形成しておき、正月以外の時期にはシュリンクフィルムを貼り付けた状態のまま飾り、正月時にこのシュリンクフィルムを外すことによって、外観形状を鏡餅に変化させて正月に飾るようにしている。このシュリンクフィルムは、鏡餅状容器に張った状態で設けられており、強度があるので、破るには指先に有る程度の力が入る者でしか無理であり、特に高齢者等の手先の不自由な人にとってシュリンクフィルムを剥がすことが極めて難しいという問題点があった。そのため、高齢者等の手先の不自由な人は、シュリンクフィルムを剥がさないで、鏡餅とは異なる模様のままにしておくことがある。
【０００５】
本願発明は、上記問題点に鑑み案出したものであって、シュリンクフィルムから突出する装飾部を把持して容器本体から引き離すと、装飾部の紐部材がシュリンクフィルムの切取部を引き裂いて、手先の不自由な人でも簡単にシュリンクフィルムを容器本体から剥がすことができる鏡餅状容器を提供することを目的とする。
【課題を解決するための手段】
【０００６】
本願請求項１に係る鏡餅状容器は、上記目的を達成するため、合成樹脂素材によって鏡餅形状に成形され、餅、餅菓子等の保存食を収容する収容部を備えた容器本体と、合成樹脂素材によって成形され、容器本体の上部に装着される装着部と、装着部の上部に形成された装飾部と、装着部に取り付けられた紐部材を有する装飾カバー体と、上下方向に切取部が形成されたシュリンクフィルムとからなり、前記装飾カバー体は、前記紐部材を容器本体の側面に下方向に垂らした状態で、装着部を容器本体の上部に当接させ、前記シュリンクフィルムは、切取部を紐部材に沿わせるようにして、装飾カバー体の装着部と容器本体をシュリンクしていることを特徴とする。
【０００７】
本願請求項２に係る鏡餅状容器は、上記目的を達成するため、合成樹脂素材によって鏡餅形状に成形され、餅、餅菓子等の保存食を収容する収容部を備えた容器本体と、合成樹脂素材によって成形され、容器本体の上部に装着される装着部と、装着部の上部に形成されたクリスマスツリー装飾部と、装着部に取り付けられた紐部材を有する装飾カバー体と、クリスマスツリーの模様が形成され、上下方向に切取部が形成されたシュリンクフィルムとからなり、前記装飾カバー体は、前記紐部材を容器本体の側面に下方向に垂らした状態で、装着部を容器本体の上部に当接させ、前記シュリンクフィルムは、切取部を紐部材に沿わせるようにして、装飾カバー体の装着部と容器本体をシュリンクし、容器本体がクリスマスツリー形態になっていることを特徴とする。
【０００８】
本願請求項３に係る鏡餅状容器は、上記目的を達成するため、合成樹脂素材によって鏡餅形状に成形され、餅、餅菓子等の保存食を収容する収容部を備えた容器本体と、当該容器本体の上部に着脱可能に設けられた橙形状の装飾体と、合成樹脂素材によって成形され、容器本体の上部に装着され、容器本体の上部に設けられた前記装飾体を覆うカバー部と、カバー部の上部に形成されたクリスマスツリー装飾部と、カバー部に取り付けられた紐部材を有する装飾カバー体と、クリスマスツリーの模様が形成され、上下方向に切取部が形成されたシュリンクフィルムとからなり、前記装飾カバー体は、前記紐部材を容器本体の側面に下方向に垂らした状態で、カバー部を容器本体の上部に当接させ、前記シュリンクフィルムは、切取部を紐部材に沿わせるようにして、装飾カバー体のカバー部と容器本体をシュリンクし、容器本体がクリスマスツリー形態になっていることを特徴とする。
【０００９】
本願請求項４に係る鏡餅状容器は、上記目的を達成するため、合成樹脂素材によって鏡餅形状に成形され、餅、餅菓子等の保存食を収容する収容部を備えた容器本体と、当該容器本体の上部に着脱可能に設けられた橙形状の装飾体と、合成樹脂素材によって成形され、容器本体の上部に装着され、容器本体の上部に設けられた前記装飾体を覆うカバー部と、カバー部の上部に形成されたクリスマスツリー装飾部とを有する装飾カバー体と、クリスマスツリーの模様が形成され、上下方向に切取部が形成されたシュリンクフィルムとからなり、前記装飾カバー体は、カバー部を容器本体の上部に当接させ、前記シュリンクフィルムは、装飾カバー体のカバー部と容器本体をシュリンクし、容器本体がクリスマスツリー形態になっている。
【００１０】
本願請求項５に係る鏡餅状容器は、上記目的を達成するため、合成樹脂素材によって鏡餅形状に成形され、餅、餅菓子等の保存食を収容する収容部を備えた容器本体と、当該容器本体の上部に着脱可能に設けられた橙形状の装飾体と、合成樹脂素材によって成形され、容器本体の上部に装着され、容器本体の上部に設けられた前記装飾体を覆うカバー部と、カバー部の上部に形成されたクリスマスツリー装飾部と、カバー部に取り付けられた紐部材を有する装飾カバー体と、クリスマスツリーの模様が形成されたシュリンクフィルムとからなり、前記装飾カバー体は、前記紐部材を容器本体の側面に下方向に垂らした状態で、カバー部を容器本体の上部に当接させ、前記シュリンクフィルムは、装飾カバー体のカバー部と容器本体をシュリンクし、容器本体がクリスマスツリー形態になっていることを特徴とする。
【発明の効果】
【００１１】
本願発明に係る鏡餅状容器は、合成樹脂素材によって鏡餅形状に成形され、餅、餅菓子等の保存食を収容する収容部を備えた容器本体と、合成樹脂素材によって成形され、容器本体の上部に装着される装着部と、装着部の上部に形成された装飾部と、装着部に取り付けられた紐部材を有する装飾カバー体と、上下方向に切取部が形成されたシュリンクフィルムとからなる。前記装飾カバー体は、前記紐部材を容器本体の側面に下方向に垂らした状態で、装着部を容器本体の上部に当接させている。前記シュリンクフィルムは、切取部を紐部材に沿わせるようにして、装飾カバー体の装着部と容器本体をシュリンクしている。
【００１２】
本願発明に係る鏡餅状容器は、鏡餅形状に成形された容器本体がシュリンクフィルムによって覆われているので、容器本体の外観形状を視認することができない。従って、本願発明に係る鏡餅状容器は、シュリンクフィルムに鏡餅以外の模様を形成することにより、置物として利用することができるという効果がある。また、本願発明に係る鏡餅状容器は、装飾部がシュリンクフィルムの上部から突出しているので、面白みがあり、注意を引くことができるという効果がある。さらに、本願発明に係る鏡餅状容器は、このシュリンクフィルムから突出している装飾部を把持して、容器本体から装飾カバー体を引き離すと、装着部に設けられた紐部材がシュリンクフィルムの切取部を破き、手先の不自由な人でもシュリンクフィルムを簡単に取り外すことができるという効果がある。
【００１３】
本願発明に係る鏡餅状容器は、合成樹脂素材によって鏡餅形状に成形され、餅、餅菓子等の保存食を収容する収容部を備えた容器本体と、合成樹脂素材によって成形され、容器本体の上部に装着される装着部と、装着部の上部に形成されたクリスマスツリー装飾部と、装着部に取り付けられた紐部材を有する装飾カバー体と、クリスマスツリーの模様が形成され、上下方向に切取部が形成されたシュリンクフィルムとからなる。前記装飾カバー体は、前記紐部材を容器本体の側面に下方向に垂らした状態で、装着部を容器本体の上部に当接させている。前記シュリンクフィルムは、切取部を紐部材に沿わせるようにして、装飾カバー体の装着部と容器本体をシュリンクしている。容器本体はクリスマスツリー形態になっている。
【００１４】
本願発明に係る鏡餅状容器は、鏡餅形状に成形された容器本体がシュリンクフィルムによって覆われているので、容器本体の外観形状を視認することができない。容器本体は、鏡餅形状であるため、上段餅形状部よりも下段餅形状部の方が大きくなっている。そのため、容器本体を覆っているシュリンクフィルムは、略円錐状となっている。本願発明に係る鏡餅状容器は、クリスマスツリー装飾部がシュリンクフィルムから突出し、シュリンクフィルムにクリスマスツリーの模様と、星・リボン等のクリスマス用装飾品の模様が印刷されているので、クリスマスツリーの形態となっており、クリスマス時にクリスマスツリー型置物として利用することができるという効果がある。
【００１５】
また、本願発明に係る鏡餅状容器は、クリスマスツリー装飾部がシュリンクフィルムの上部から突出しているので、面白みがあり、注意を引くことができるという効果がある。さらに、本願発明に係る鏡餅状容器は、このシュリンクフィルムから突出しているクリスマスツリー装飾部を把持して、容器本体から装飾カバー体を引き離すと、装着部に設けられた紐部材がシュリンクフィルムの切取部を破き、手先の不自由な人でもシュリンクフィルムを簡単に取り外すことができるという効果がある。
【００１６】
本願発明に係る鏡餅状容器は、シュリンクフィルムを外すと、鏡餅形状となるため、正月の時期に、お供え用として利用することができるという効果がある。このように、本願発明に係る鏡餅状容器は、クリスマスの時期にはクリスマス用として、正月の時期には正月用として飾ることができ、しかも、手先の不自由な人でも簡単にシュリンクフィルムを取り外してに変化させることができ、シュリンクフィルムによって容器本体の鏡餅形状が覆われていることを知らない者を驚かせることができるという効果がある。
【００１７】
本願発明に係る鏡餅状容器は、合成樹脂素材によって鏡餅形状に成形され、餅、餅菓子等の保存食を収容する収容部を備えた容器本体と、当該容器本体の上部に着脱可能に設けられた橙形状の装飾体と、合成樹脂素材によって成形され、容器本体の上部に装着され、容器本体の上部に設けられた前記装飾体を覆うカバー部と、カバー部の上部に形成されたクリスマスツリー装飾部と、カバー部に取り付けられた紐部材を有する装飾カバー体と、クリスマスツリーの模様が形成され、上下方向に切取部が形成されたシュリンクフィルムとからなる。前記装飾カバー体は、前記紐部材を容器本体の側面に下方向に垂らした状態で、カバー部を容器本体の上部に当接させている。前記シュリンクフィルムは、切取部を紐部材に沿わせるようにして、装飾カバー体のカバー部と容器本体をシュリンクしている。容器本体は、クリスマスツリー形態になっている。
【００１８】
本願発明に係る鏡餅状容器は、鏡餅形状に成形された容器本体がシュリンクフィルムによって覆われているので、容器本体の外観形状を視認することができない。容器本体は、鏡餅形状であるため、上段餅形状部よりも下段餅形状部の方が大きくなっている。そのため、容器本体を覆っているシュリンクフィルムは、略円錐状となっている。本願発明に係る鏡餅状容器は、クリスマスツリー装飾部がシュリンクフィルムから突出し、シュリンクフィルムにクリスマスツリーの模様と、星・リボン等のクリスマス用装飾品の模様が印刷されているので、クリスマスツリーの形態となっており、クリスマス時にクリスマスツリー型置物として利用することができるという効果がある。
【００１９】
また、本願発明に係る鏡餅状容器は、クリスマスツリー装飾部がシュリンクフィルムの上部から突出しているので、面白みがあり、注意を引くことができるという効果がある。さらに、本願発明に係る鏡餅状容器は、このシュリンクフィルムから突出しているクリスマスツリー装飾部を把持して、容器本体から装飾カバー体を引き離すと、カバー部に設けられた紐部材がシュリンクフィルムの切取部を破き、手先の不自由な人でもシュリンクフィルムを簡単に取り外すことができるという効果がある。
【００２０】
本願発明に係る鏡餅状容器は、シュリンクフィルムを外すと、橙を載せた鏡餅形状となるため、正月の時期に、お供え用として利用することができるという効果がある。このように、本願発明に係る鏡餅状容器は、クリスマスの時期にはクリスマス用として、正月の時期には正月用として飾ることができ、しかも、手先の不自由な人でも簡単にシュリンクフィルムを取り外してに変化させることができ、シュリンクフィルムによって容器本体の鏡餅形状が覆われていることを知らない者を驚かせることができるという効果がある。
【００２１】
本願発明に係る鏡餅状容器は、合成樹脂素材によって鏡餅形状に成形され、餅、餅菓子等の保存食を収容する収容部を備えた容器本体と、当該容器本体の上部に着脱可能に設けられた橙形状の装飾体と、合成樹脂素材によって成形され、容器本体の上部に装着され、容器本体の上部に設けられた前記装飾体を覆うカバー部と、カバー部の上部に形成されたクリスマスツリー装飾部とを有する装飾カバー体と、クリスマスツリーの模様が形成され、上下方向に切取部が形成されたシュリンクフィルムとからなり、前記装飾カバー体は、カバー部を容器本体の上部に当接させ、前記シュリンクフィルムは、装飾カバー体のカバー部と容器本体をシュリンクし、容器本体がクリスマスツリー形態になっている。
【００２２】
本願発明に係る鏡餅状容器は、鏡餅形状に成形された容器本体がシュリンクフィルムによって覆われているので、容器本体の外観形状を視認することができない。容器本体は、鏡餅形状であるため、上段餅形状部よりも下段餅形状部の方が大きくなっている。そのため、容器本体を覆っているシュリンクフィルムは、略円錐状となっている。本願発明に係る鏡餅状容器は、クリスマスツリー装飾部がシュリンクフィルムから突出し、シュリンクフィルムにクリスマスツリーの模様と、星・リボン等のクリスマス用装飾品の模様が印刷されているので、クリスマスツリーの形態となっており、クリスマス時にクリスマスツリー型置物として利用することができるという効果がある。
【００２３】
また、本願発明に係る鏡餅状容器は、クリスマスツリー装飾部がシュリンクフィルムの上部から突出しているので、面白みがあり、注意を引くことができるという効果がある。さらに、本願発明に係る鏡餅状容器は、このシュリンクフィルムから突出しているクリスマスツリー装飾部を把持して、容器本体から装飾カバー体を引き離すと、カバー部がシュリンクフィルムの切取部を破き、手先の不自由な人でもシュリンクフィルムを簡単に取り外すことができるという効果がある。
【００２４】
本願発明に係る鏡餅状容器は、シュリンクフィルムを外すと、橙を載せた鏡餅形状となるため、正月の時期に、お供え用として利用することができるという効果がある。このように、本願発明に係る鏡餅状容器は、クリスマスの時期にはクリスマス用として、正月の時期には正月用として飾ることができ、しかも、手先の不自由な人でも簡単にシュリンクフィルムを取り外してに変化させることができ、シュリンクフィルムによって容器本体の鏡餅形状が覆われていることを知らない者を驚かせることができるという効果がある。
【００２５】
本願発明に係る鏡餅状容器は、合成樹脂素材によって鏡餅形状に成形され、餅、餅菓子等の保存食を収容する収容部を備えた容器本体と、当該容器本体の上部に着脱可能に設けられた橙形状の装飾体と、合成樹脂素材によって成形され、容器本体の上部に装着され、容器本体の上部に設けられた前記装飾体を覆うカバー部と、カバー部の上部に形成されたクリスマスツリー装飾部と、カバー部に取り付けられた紐部材を有する装飾カバー体と、クリスマスツリーの模様が形成されたシュリンクフィルムとからなり、前記装飾カバー体は、前記紐部材を容器本体の側面に下方向に垂らした状態で、カバー部を容器本体の上部に当接させ、前記シュリンクフィルムは、装飾カバー体のカバー部と容器本体をシュリンクし、容器本体がクリスマスツリー形態になっていることを特徴とする。
【００２６】
本願発明に係る鏡餅状容器は、鏡餅形状に成形された容器本体がシュリンクフィルムによって覆われているので、容器本体の外観形状を視認することができない。容器本体は、鏡餅形状であるため、上段餅形状部よりも下段餅形状部の方が大きくなっている。そのため、容器本体を覆っているシュリンクフィルムは、略円錐状となっている。本願発明に係る鏡餅状容器は、クリスマスツリー装飾部がシュリンクフィルムから突出し、シュリンクフィルムにクリスマスツリーの模様と、星・リボン等のクリスマス用装飾品の模様が印刷されているので、クリスマスツリーの形態となっており、クリスマス時にクリスマスツリー型置物として利用することができるという効果がある。
【００２７】
また、本願発明に係る鏡餅状容器は、クリスマスツリー装飾部がシュリンクフィルムの上部から突出しているので、面白みがあり、注意を引くことができるという効果がある。さらに、本願発明に係る鏡餅状容器は、このシュリンクフィルムから突出しているクリスマスツリー装飾部を把持して、容器本体から装飾カバー体を引き離すと、カバー部に設けられた紐部材がシュリンクフィルムを破き、手先の不自由な人でもシュリンクフィルムを簡単に取り外すことができるという効果がある。
【００２８】
本願発明に係る鏡餅状容器は、シュリンクフィルムを外すと、橙を載せた鏡餅形状となるため、正月の時期に、お供え用として利用することができるという効果がある。このように、本願発明に係る鏡餅状容器は、クリスマスの時期にはクリスマス用として、正月の時期には正月用として飾ることができ、しかも、手先の不自由な人でも簡単にシュリンクフィルムを取り外してに変化させることができ、シュリンクフィルムによって容器本体の鏡餅形状が覆われていることを知らない者を驚かせることができるという効果がある。
【図面の簡単な説明】
【００２９】
【図１】本願発明に係る鏡餅状容器の全体斜視図である。
【図２】図１の鏡餅状容器のシュリンクフィルムと装飾カバー体を外した斜視図である。
【図３】図１の鏡餅状容器の正面断面図である。
【図４】図１の鏡餅状容器の分解正面図である。
【図５】図１の鏡餅状容器の分解斜視図である。
【図６】図１の鏡餅状容器の製造過程を示す正面断面図である。
【発明を実施するための形態】
【００３０】
本願発明に係る鏡餅状容器の実施の形態を図１乃至図６に基づいて説明する。鏡餅状容器１は、合成樹脂素材によって鏡餅形状に成形され、餅、餅菓子等の保存食Ａを収容する収容部６を備えた容器本体２と、合成樹脂素材によって成形され、容器本体２の上部に装着される装着部１５と、装着部１５の上部に形成された装飾部１８と、装着部１５に取り付けられた紐部材１６を有する装飾カバー体１４と、上下方向にミシン目（切取部）２３が形成されたシュリンクフィルム２１，２２とからなる。前記装飾カバー体１４は、前記紐部材１６を容器本体２の側面に下方向に垂らした状態で、装着部１５を容器本体２の上部に当接させている。前記シュリンクフィルム２１，２２は、ミシン目（切取部）２３を紐部材１６に沿わせるようにして、装飾カバー体１４の装着部１５と容器本体２をシュリンクしている。
【００３１】
鏡餅状容器１は、鏡餅形状に成形された容器本体２がシュリンクフィルム２１，２２によって覆われているので、容器本体２の外観形状を視認することができない。従って、鏡餅状容器１は、シュリンクフィルム２１，２２に鏡餅以外の模様を形成することにより、置物として利用することができる。また、鏡餅状容器１は、装飾部１８がシュリンクフィルム２１，２２の上部から突出しているので、面白みがあり、注意を引くことができる。さらに、鏡餅状容器１は、このシュリンクフィルム２１，２２から突出している装飾部１８を把持して、容器本体２から装飾カバー体１４を引き離すと、装着部１５に設けられた紐部材１６がシュリンクフィルム２１，２２のミシン目（切取部）２３を破き、手先の不自由な人でもシュリンクフィルム２１，２２を簡単に取り外すことができる。
【００３２】
鏡餅状容器１は、合成樹脂素材によって鏡餅形状に成形され、鏡Ａを収容する収容部６を備えた容器本体２と、合成樹脂素材によって成形され、容器本体２の上部に装着される装着部１５と、装着部１５の上部に形成されたクリスマスツリー装飾部１８と、装着部１５に取り付けられた紐部材１６を有する装飾カバー体１４と、クリスマスツリーの模様が形成され、上下方向にミシン目（切取部）２３が形成されたシュリンクフィルム２１，２２とからなる。前記装飾カバー体１４は、前記紐部材１６を容器本体２の側面に下方向に垂らした状態で、装着部１５を容器本体２の上部に当接させている。前記シュリンクフィルム２１，２２は、ミシン目（切取部）２３を紐部材１６に沿わせるようにして、装飾カバー体１４の装着部１５と容器本体２をシュリンクしている。容器本体２はクリスマスツリー形態になっている。
【００３３】
鏡餅状容器１は、鏡餅形状に成形された容器本体２がシュリンクフィルム２１，２２によって覆われているので、容器本体２の外観形状を視認することができない。容器本体２は、鏡餅形状であるため、上段餅形状部よりも下段餅形状部の方が大きくなっている。そのため、容器本体２を覆っているシュリンクフィルム２１，２２は、略円錐状となっている。鏡餅状容器１は、クリスマスツリー装飾部１８がシュリンクフィルム２１，２２から突出し、シュリンクフィルム２１，２２にクリスマスツリーの模様と、星・リボン等のクリスマス用装飾品の模様が印刷されているので、クリスマスツリーの形態となっており、クリスマス時にクリスマスツリー型置物として利用することができる。
【００３４】
また、鏡餅状容器１は、クリスマスツリー装飾部１８がシュリンクフィルム２１，２２の上部から突出しているので、面白みがあり、注意を引くことができる。さらに、鏡餅状容器１は、このシュリンクフィルム２１，２２から突出しているクリスマスツリー装飾部１８を把持して、容器本体２から装飾カバー体１４を引き離すと、装着部１５に設けられた紐部材１６がシュリンクフィルム２１，２２のミシン目（切取部）２３を破き、手先の不自由な人でもシュリンクフィルム２１，２２を簡単に取り外すことができる。
【００３５】
鏡餅状容器１は、シュリンクフィルム２１，２２を外すと、鏡餅形状となるため、正月の時期に、お供え用として利用することができる。このように、鏡餅状容器１は、クリスマスの時期にはクリスマス用として、正月の時期には正月用として飾ることができ、しかも、手先の不自由な人でも簡単にシュリンクフィルム２１，２２を取り外して変化させることができ、シュリンクフィルム２１，２２によって容器本体２の鏡餅形状が覆われていることを知らない者を驚かせることができる。
【００３６】
鏡餅状容器１は、合成樹脂素材によって鏡餅形状に成形され、鏡Ａを収容する収容部６を備えた容器本体２と、当該容器本体２の上部に着脱可能に設けられた橙形状の装飾体１１と、合成樹脂素材によって成形され、容器本体２の上部に装着され、容器本体２の上部に設けられた前記装飾体１１を覆うカバー部１５と、カバー部１５の上部に形成されたクリスマスツリー装飾部１８と、カバー部１５に取り付けられた紐部材１６を有する装飾カバー体１４と、クリスマスツリーの模様が形成され、上下方向にミシン目（切取部）２３が形成されたシュリンクフィルム２１，２２とからなる。前記装飾カバー体１４は、前記紐部材１６を容器本体２の側面に下方向に垂らした状態で、カバー部１５を容器本体２の上部に当接させている。前記シュリンクフィルム２１，２２は、ミシン目（切取部）２３を紐部材１６に沿わせるようにして、装飾カバー体１４のカバー部１５と容器本体２をシュリンクしている。容器本体２は、クリスマスツリー形態になっている。
【００３７】
鏡餅状容器１は、鏡餅形状に成形された容器本体２がシュリンクフィルム２１，２２によって覆われているので、容器本体２の外観形状を視認することができない。容器本体２は、鏡餅形状であるため、上段餅形状部よりも下段餅形状部の方が大きくなっている。そのため、容器本体２を覆っているシュリンクフィルム２１，２２は、略円錐状となっている。鏡餅状容器１は、クリスマスツリー装飾部１８がシュリンクフィルム２１，２２から突出し、シュリンクフィルム２１，２２にクリスマスツリーの模様と、星・リボン等のクリスマス用装飾品の模様が印刷されているので、クリスマスツリーの形態となっており、クリスマス時にクリスマスツリー型置物として利用することができる。
【００３８】
また、鏡餅状容器１は、クリスマスツリー装飾部１８がシュリンクフィルム２１，２２の上部から突出しているので、面白みがあり、注意を引くことができる。さらに、鏡餅状容器１は、このシュリンクフィルム２１，２２から突出しているクリスマスツリー装飾部１８を把持して、容器本体２から装飾カバー体１４を引き離すと、カバー部１５に設けられた紐部材１６がシュリンクフィルム２１，２２のミシン目（切取部）２３を破き、手先の不自由な人でもシュリンクフィルム２１，２２を簡単に取り外すことができる。
【００３９】
鏡餅状容器１は、シュリンクフィルム２１，２２を外すと、橙を載せた鏡餅形状となるため、正月の時期に、お供え用として利用することができる。このように、鏡餅状容器１は、クリスマスの時期にはクリスマス用として、正月の時期には正月用として飾ることができ、しかも、手先の不自由な人でも簡単にシュリンクフィルム２１，２２を取り外してに変化させることができ、シュリンクフィルム２１，２２によって容器本体２の鏡餅形状が覆われていることを知らない者を驚かせることができる。
【００４０】
鏡餅状容器１は、合成樹脂素材によって鏡餅形状に成形され、餅、餅菓子等の保存食Ａを収容する収容部６を備えた容器本体２と、当該容器本体２の上部に着脱可能に設けられた橙形状の装飾体１１と、合成樹脂素材によって成形され、容器本体２の上部に装着され、容器本体２の上部に設けられた前記装飾体１１を覆うカバー部１５と、カバー部１５の上部に形成されたクリスマスツリー装飾部１８とを有する装飾カバー体１４と、クリスマスツリーの模様が形成され、上下方向に切取部２３が形成されたシュリンクフィルム２１，２２とからなる。前記装飾カバー体１４は、カバー部１５を容器本体２の上部に当接させている。前記シュリンクフィルム２１、２２は、装飾カバー体１４のカバー部１５と容器本体２をシュリンクしている。容器本体２は、クリスマスツリー形態になっている。
【００４１】
鏡餅状容器１は、鏡餅形状に成形された容器本体２がシュリンクフィルム２１，２２によって覆われているので、容器本体２の外観形状を視認することができない。容器本体２は、鏡餅形状であるため、上段餅形状部３よりも下段餅形状部５の方が大きくなっている。そのため、容器本体２を覆っているシュリンクフィルム２１，２２は、略円錐状となっている。鏡餅状容器１は、クリスマスツリー装飾部１８がシュリンクフィルム２１，２２から突出し、シュリンクフィルム２１，２２にクリスマスツリーの模様と、星・リボン等のクリスマス用装飾品の模様が印刷されているので、クリスマスツリーの形態となっており、クリスマス時にクリスマスツリー型置物として利用することができる。
【００４２】
また、鏡餅状容器１は、クリスマスツリー装飾部１８がシュリンクフィルム２１，２２の上部から突出しているので、面白みがあり、注意を引くことができる。さらに、鏡餅状容器１は、このシュリンクフィルム２１，２２から突出しているクリスマスツリー装飾部１８を把持して、容器本体２から装飾カバー体１４を引き離すと、カバー部１５がシュリンクフィルム２１，２２の切取部２３を破き、手先の不自由な人でもシュリンクフィルムを簡単に取り外すことができる。
【００４３】
鏡餅状容器１は、シュリンクフィルム２１，２２を外すと、橙を載せた鏡餅形状となるため、正月の時期に、お供え用として利用することができる。このように、鏡餅状容器１は、クリスマスの時期にはクリスマス用として、正月の時期には正月用として飾ることができ、しかも、手先の不自由な人でも簡単にシュリンクフィルム２１，２２を取り外してに変化させることができ、シュリンクフィルム２１，２２によって容器本体２の鏡餅形状が覆われていることを知らない者を驚かせることができる。
【００４４】
鏡餅状容器１についてさらに詳細に説明する。図５に示すように、鏡餅状容器１は、容器本体２と、装飾体１１と、装飾カバー体１４と、シュリンクフィルム２１とかならなる。容器本体２は、真空成形、射出成形等の公知の成形手段により成形され、上段餅形状部３と、下段餅形状部５とからなる。
【００４５】
図３，４に示すように、容器本体２には、内部に餅Ａを収容することができる収容部６が形成されている。下段餅形状部５の下部には、容器本体２の収容部６内に餅Ａを収納することができる開口７が形成されている。また、下段餅形状部５の開口７の外周縁には、円形の鍔８が形成されている。さらに、上段餅形状部３の上部略中央に係止凸部９が形成されている。この係止凸部９を含む上段餅形状部３と、下段餅形状部５と、鍔８が容器本体２を構成し、上記したように公知の成形手段により一体に成形されている。
【００４６】
容器本体２の開口７は、収容部６に餅Ａを収容した後、餅Ａが開口７から出ないように、蓋シート１０によって塞がれている。蓋シート１０は、薄い合成樹脂シートであって、鍔８の外径と略同じ外径の円板状に形成されており、鍔８に接着材等によって、剥離可能に貼着されている。
【００４７】
装飾体１１は、橙形状に形成され、下部１２が略平坦になっており、この平坦な下部１２の略中央に係止凹部１３が形成されている。当該装飾体１１は、係止凹部１３を容器本体２の係止凸部９に嵌合することによって、容器本体２の上部に位置決めされて、安定して保持される。
【００４８】
装飾カバー体１４は、容器本体２と同様に、真空成形、射出成形等の公知の成形手段により一体成形され、カバー部(装着部）１５と、カバー部(装着部）１５の上部に設けられたクリスマスツリー装飾部１８とからなる。カバー部(装着部）１５は、半球体状に成形され、一側に紐部材１６が取り付けられている。カバー部(装着部）１５は、前記装飾体１１を完全に覆うことができる程度の大きさに形成され、下部に装飾体１１を挿通することができる開放口１７が形成されている。前記紐部材１６は、装飾カバー体１４と一体で成形しても、装飾カバー体１４と別体で構成し、カバー部（装着部）１５に固定して取り付けても構わない。
【００４９】
シュリンクフィルム２１は、両端が接着材、熱溶着等によって固着されて筒状に形成され、上下方向（軸方向）に向かって一対のミシン目（切取部）２３，２３が設けられている。シュリンクフィルム２１は、図３に示すように、加熱されて収縮し、容器本体２の上段餅形状部３と、下段餅形状部５と、装飾カバー体１４のカバー部（装着部）１５と、容器本体２の鍔８に密着する。
【００５０】
鏡餅状容器１は、以下のように製造する。容器本体２の収容部６内に開口７から餅Ａを収容する。容器本体２の鍔８の下面に蓋シート１０を接着材等によって剥離可能に貼着し、容器本体２の開口７を蓋シート１０によって塞ぐ。装飾体１１を、これの係止凹部１３を容器本体２の係止凸部９に嵌合することによって、容器本体２の上部に位置決めして載置する。
【００５１】
装飾カバー体１４のカバー部１５を装飾体１１に被せるようにして、容器本体２の上段餅形状部３の上面に当接させる。装飾カバー体１４は、装飾体１１が係止凸部９によって安定して保持されているので、この固定された装飾体１１によって位置決めされる。紐部材１６を容器本体２の外側面に下方に垂らすようにする。紐部材１６は、容器本体２の鍔８の位置より長くしておくことが望ましい。図６（ａ）に示すように、筒状のシュリンクフィルム２１を容器本体２に被せる。この際、紐部材１６とシュリンクフィルム２１のミシン目（切取部）２３が沿うように被せることが望ましい。シュリンクフィルム２１の下部が容器本体２の鍔８の裏面に密着させるようにするため、容器本体２を台２４等に載せておくことが望ましい。
【００５２】
図６（ａ）に示す状態で加熱すると、筒状のシュリンクフィルム２１が収縮し、図３に示すように、シュリンクフィルム２１が装飾カバー体１４のカバー部１５、上段餅形状部３、下段餅形状部５、鍔８及び蓋シート１０の下面周縁をシュリンクする。紐部材１６の下部が鍔８及び蓋シート１０の周縁に巻き付けられて固定される。蓋シート１０の端縁部がシュリンクフィルム２１によって覆われるので、蓋シート１０が鍔８から剥がれ難くなっている。なお、図６（ｂ）に示すように、円錐状のシュリンクフィルム２２でシュリンクしても構わないのは勿論である。
【００５３】
図１に示すように、鏡餅状容器１は、鏡餅形状に成形された容器本体２及びカバー部１５がシュリンクフィルム２１，２２によって覆われているので、容器本体２の外観形状を視認することができない。そのため、鏡餅状容器１は、容器本体２を覆っているシュリンクフィルム２１，２２に印刷されたクリスマス用の置物として利用することができる。
【００５４】
鏡餅状容器１は、このシュリンクフィルム２１，２２から突出しているクリスマスツリー装飾部１８を把持して、容器本体２から装飾カバー体１４を引き離すと、カバー部に設けられた紐部材１６がシュリンクフィルム２１，２２のミシン目（切取部）２３を破き、手先の不自由な人でもシュリンクフィルムを簡単に取り外すことができる。図２に示すように、鏡餅状容器１は、シュリンクフィルム２１，２２を外すと、鏡餅形状となるため、正月用のお供え用として利用することができる。このように、鏡餅状容器１は、シュリンクフィルム２１，２２を剥がすことによって、瞬時にその形態を変化させることができる。
【００５５】
鏡餅状容器１は、装飾カバー体１４のカバー部１５がシュリンクフィルム２１，２２によって覆われているので、容器本体２から装飾カバー体１４が不用意に外れてしまう虞がない。鏡餅状容器１は、シュリンクフィルム２１，２２によって容器本体２の鍔８と蓋シート１０の端部を包み込むようにしてシュリンクしているので、蓋シート１０の端縁がシュリンクフィルム２１，２２によって覆われており、そのため、蓋シート１０の剥離を防止することができる。鏡餅状容器１は、前記した蓋シート１０に鏡開きの日にちを記載しておくことができる。このように記載することにより、クリスマス行事と、正月行事と、鏡開きの行事を楽しむことができる鏡餅状容器１を提供することができる。上記実施の形態では、容器本体２は、上段餅形状部３と下段餅形状部５とからなる２段重ね形状で説明したが、３段重ね以上であっても構わないのは勿論である。
【産業上の利用可能性】
【００５６】
本願発明に係る鏡餅状容器は、正月のお供え物として利用可能である。
【符号の説明】
【００５７】
Ａ  餅
１  鏡餅状容器
２  容器本体
３  上段餅形状部
５  下段餅形状部
６  収容部
７  開口
８  鍔
９  係止凸部
１０  蓋シート
１１  装飾体
１２  下部
１３  係止凹部
１４  装飾カバー体
１５  カバー部（装着部）
１６  紐部材
１７  開放口
１８  装飾部（クリスマスツリー装飾部）
２１  シュリンクフィルム
２２  シュリンクフィルム
２３  ミシン目（切取部）
２４  台
【図１】
2014213907.tif 000003
【図２】
2014213907.tif 000004
【図３】
2014213907.tif 000005
【図４】
2014213907.tif 000006
【図５】
2014213907.tif 000007
【図６】
2014213907.tif 000008